(57)【特許請求の範囲】
【請求項１】
プリンタユニット部と、平面スキャナー部と、前記平面スキャナー部端部に枢着され、原稿面を覆うスキャナーカバーとを有し、前記平面スキャナー部の前記枢着側の端部に前記プリンタユニットを台座として設けて、前記平面スキャナー部を縦立状態で配置し、前記平面スキャナー部の前記枢着側の端部とは反対側の端部に給紙口を設け、前記平板状スキャナー部の背面に沿って前記プリンタユニット部へ印刷用紙を導く給紙路を形成したことを特徴とするプリンタ装置。
【請求項２】
縦立状態における前記スキャナーの下端には、原稿受け用の段部が設けられていることを特徴とする請求項１記載のプリンタ装置。
【請求項３】
プリンタユニット部におけるスキャナー部の縦立状態での底面には、舌状片が設けられ、この舌状片が縦立時の転倒防止用の補助足として機能するようになっていることを特徴とする請求項１または２記載のプリンタ装置。
【請求項４】
前記舌状片が、前記底面から相対方向に出没自在になるように底面所定位置に枢着され、転倒防止機能、排紙トレイ機能を有するようになっていることを特徴とする請求項３記載のプリンタ装置。
【請求項５】
縦立状態でのプリンタユニット部の底面と、スキャナー部の背面とが形成する角部に、コネクタもしくは電源ケーブル通過用の切欠部が形成されていることを特徴とする請求項１乃至４何れか記載のプリンタ装置。
【発明の詳細な説明】
【０００１】
【発明の属する技術分野】
本発明は、省スペース形のスキャナー機能を有するマルチファンクションプリンタ装置に関するものである。
【０００２】
【従来の技術】
従来、特開平６−１５９００号公報や特開平５−３０１４１５号公報に記載されているように、プリンタとして適宜縦置き、横置きとして使用し、省スペース機能と操作の向上を図った発明が存在する。しかし、プリンタにスキャナー機能を有するプリンタ装置にあっては、一般に原稿を読取るスキャナー部は横置き、すなわち平板状のスキャナー部を水平にして用いられており、スキャナー機能を中心として使用する場合、縦置きとしての使用は不自然であり、省スペース化を図ることができなかった。
【０００３】
【発明が解決しようとする課題】
本発明は、スキャナー機能を有するプリンタ装置にあって、縦置き、横置きを可能として省スペース化を図るとともに、スキャニング用の原稿のセットを迅速かつ確実に行えるようにしたプリンタ装置を提供することである。
【０００４】
【課題を解決するための手段】
この発明は下記の構成を備えることにより上記課題を解決できるものである。
【０００５】
（１）プリンタユニット部と、平面スキャナー部と、前記平面スキャナー部端部に枢着され、原稿面を覆うスキャナーカバーとを有し、前記平面スキャナー部の前記枢着側の端部に前記プリンタユニットを台座として設けて、前記平面スキャナー部を縦立状態で配置し、前記平面スキャナー部の前記枢着側の端部とは反対側の端部に給紙口を設け、前記平板状スキャナー部の背面に沿って前記プリンタユニット部へ印刷用紙を導く給紙路を形成したことを特徴とするプリンタ装置。
【０００６】
上記構成において、スキャナー部が縦立状態で所定角度傾斜しているため、スキャナー力バーを開放して、スキャナー読取面に向けて薄い原稿を上方から挿入するように置くだけで原稿は確実にスキャナー読取面にセットされ、続いてスキャナーカバーを閉めて確実なスキャニングが可能となる。また、原稿が本等の厚手のものの時は、通常通り、平板状のスキャナー部を水平状態として横置き使用される。
【０００７】
（２）縦立状態における前記スキャナー部の下端には、原稿受け用の段部が設けられていることを特徴とする前記（１）記載のプリンタ装置。
【０００８】
上記構成において、縦立状態のスキャナー部に原稿を投入するだけで、原稿の下端が段部に支持され、確実な原稿セットが可能となる。
【０００９】
（３）プリンタユニット部におけるスキャナー部の縦立状態での底面には、舌状片が設けられ、この舌状片が縦立時の転倒防止用の補助足として機能するようになっていることを特徴とする前記（１）または（２）記載のプリンタ装置。
【００１０】
上記構成において、舌状片が確実に傾斜したまま縦立状態のスキャナー部の転倒を確実に防止する。
【００１１】
（４）前記舌状片が、前記底面から相対方向に出没自在になるように底面所定位置に枢着され、転倒防止機能、排紙トレイ機能を有するようになっていることを特徴とする前記（３）記載のプリンタ装置。
【００１２】
上記構成において、舌状片の向きを変更するのみで、転倒防止機能と、排紙トレイ機能を果たすのみならず、この舌状片を底面内に収めることにより、運搬時の形状をシンプルにできる。
【００１３】
（５）縦立状態でのプリンタユニット部の底面と、スキャナー部の背面とが形成する角部に、コネクタもしくは電源ケーブル通過用の切欠部が形成されていることを特徴とする前記（１）乃至（４）何れか記載のプリンタ装置。
【００１４】
上記構成において、このプリンタ装置を縦置きまたは横置きとして使用しても、切欠部が常に露出することから、いずれの使用であっても、コネクタや電源ケーブルの通過部の共有化が可能となる。特に、縦置き時に壁付け使用が可能となる。
【００１５】
【発明の実施の形態】
以下に、この発明の一実施例を図面と共に説明する。
【００１６】
まず、図１は、プリンター装置の斜視図であり、プリンターユニット部１を台座にして、スキャナー部２が縦立状態で使用可能になっていると共にスキャナーカバー３の開放側とは逆の方向に所定の傾斜角度で配置されている。
【００１７】
つぎに、図２は、プリンター装置の縦立状態での断面図であり、印刷は、スキャナー部２の背面の給紙口４から印刷用紙（原稿）Ｐを落とし込み、プリンターユニット部１内に設けられた用紙誘導ローラによってインクカートリッジ６の方へ導かれるとともに、印字され、排紙口５より、吐き出され完了する。
【００１８】
さらに、図３は、プリンター装置の横置状態での断面図であり、本等の厚手の原稿の時、平板状のスキャナー部２を水平伏にして、スキャナーカバー３を全開して、スキャナー部２に直接原稿を置きスキャンニングする。又、そのデータを印刷するときは、給紙口４より印刷用紙Ｐを差し込み、用紙誘導ローラによってインクカートリッジ６の方へ導かれるとともに印字され、排紙口５より、吐き出され完了する。
【００１９】
また、図４は、縦立状態におけるスキャナー部の原稿受け用段部７の斜視図であり、スキャナー面８の下段に原稿を受ける段差が設けてある。これによって、薄い原稿を縦立状態でも確実にセットできる。
【００２０】
つぎに、図５は、プリンター装置のプリンタユニット部１の底面に設けられている舌状片の位置図であり、（Ａ）は搬送時の舌状片の位置、（Ｂ）は縦立状態の舌状片の位置を表す図である。
【００２１】
薄い原稿Ｐを縦立状態でスキャナー使用可能にするためにプリンターユニット部とスキャナー部を所定の傾斜角度で配置してあるので、プリンターユニット部の底部に転倒防止用の舌状片を設けてある。（Ｃ）は横置状態の舌状片の位置を表す図である。
【００２２】
プリンターユニット部１の底面に設けられている舌状片は、排紙のトレイの役目をする。
【００２３】
さらに、図６は、プリンター装置の縦立状態での断面図であり、縦立状態でプリンタユニット部１の底面とスキャナー部２の背面とが形成する角部に、コネクタ・電源ケーブル通過用の切欠部９が形成されている。
【００２４】
【発明の効果】
以上説明したように、本発明により下記の効果が得られる。
【００２５】
請求項１の発明によれば、スキャナー部が縦立状態で所定角度傾斜しているため、スキャナーカバーを開放して、スキャナー読取面に向けて薄い原稿を上方から挿入するように置くだけで、原稿は確実にスキャナー読取面にセットされ、続いてスキャナーカバーを閉めて確実なスキャニングが可能となる。また、原稿が本等の厚手のものの時は、通常通り、平板状のスキャナー部を水平状態として横置き使用される。
【００２６】
請求項２の発明によれば、縦立状態のスキャナー部に原稿を投入するだけで、原稿の下端が段部に支持され、確実な原稿セットが可能となる。
【００２７】
請求項３の発明によれば、舌状片が確実に傾斜したまま縦立状態のスキャナー部の転倒を確実に防止する。
【００２８】
請求項４の発明によれば、舌状片の向きを変更するのみで、転倒防止機能と、排紙トレイ機能を果たすのみならず、この舌状片を底面内に収めることにより、運搬時の形状をシンプルにできる。
【００２９】
請求項５の発明によれば、このプリンタ装置を縦置きまたは横置きとして使用しても、切欠部が常に露出することから、いずれの使用であっても、コネクタや電源ケーブルの通過部の共有化が可能となる。特に、縦置き時に壁付け使用が可能となる。
【図面の簡単な説明】
【図１】  プリンター装置の斜視図
【図２】  プリンター装置の縦立状態での断面図
【図３】  プリンター装置の横置状態での断面図
【図４】  縦立状態におけるスキャナー部の原稿受け用段部の斜視図
【図５】  プリンター装置のプリンタユニット部の底面に設けられている舌状片の位置図
【図６】  プリンター装置の縦立状態での断面図
【符号の説明】
１  プリンターユニット部
２  スキャナー部
３  スキャナーカバー
４  給紙口
５  排紙口
６  インクカートリッジ
７  原稿受け用段部
８  スキャナー面
９  切欠部
Ｐ  印刷用紙
【図１】
0003809357.tif 000002
【図２】
0003809357.tif 000003
【図３】
0003809357.tif 000004
【図４】
0003809357.tif 000005
【図５】
0003809357.tif 000006
【図６】
0003809357.tif 000007